(57)【特許請求の範囲】
【請求項１】
表面に糊を付着し、冊子を挟持したクランプの移動と同期して回転するローラと、前記ローラの表面に接離するワイパー板を具え、前記ワイパー板の前記ローラの表面への接離のタイミングにより前記冊子の背面の所定の位置に糊付けしてなる製本用背糊付け装置において、前記クランプの移動と連動して回転する駆動軸に固定された太陽歯車と、前記太陽歯車と噛合する複数の遊星歯車と、前記複数の遊星歯車の中心軸に取付けた円盤状のカムと、前記遊星歯車と噛合する内歯歯車と、前記内歯歯車の外周に形成した歯車と噛合し電動機の回転で回転する歯車と、前記円盤状のカムに当接して作動する前記ワイパー板に固定したカム従動子とを有し、前記電動機の回転による前記内歯歯車の回転角位置の設定で前記ワイパー板が前記ローラの表面から離れるタイミングを決定することを特徴とする製本用背糊付け装置。
【請求項２】
表面に糊を付着し、冊子を挟持したクランプの移動と同期して回転するローラと、前記ローラの表面に接離するワイパー板を具え、前記ワイパー板の前記ローラの表面への接離のタイミングにより前記冊子の背面の所定の位置に糊付けしてなる製本用背糊付け装置において、前記クランプの移動と連動して回転する駆動軸に固定された第１および第２の２個の太陽歯車と、前記第１の太陽歯車と噛合する第１の複数の遊星歯車と、前記第１の複数の遊星歯車の中心軸に取付けた第１の円盤状のカムと、前記第１の遊星歯車と噛合する第１の内歯歯車と、前記第１の内歯歯車の外周に形成した歯車と噛合し第１の電動機の回転で回転する第１の歯車と、前記第２の太陽歯車と噛合する第２の複数の遊星歯車と、前記第２の複数の遊星歯車の中心軸に取付けた第２の円盤状のカムと、前記第２の遊星歯車と噛合する第２の内歯歯車と、前記第２の内歯歯車の外周に形成した歯車と噛合し第２の電動機の回転で回転する第２の歯車と、前記第１および第２の円盤状のカムまたがって当接して作動する前記ワイパー板に固定したカム従動子を有し、前記第１の電動機の回転による前記第１の内歯歯車の回転角位置の設定で前記ワイパー板が前記ローラの表面からから離れるタイミングを、前記第２の電動機の回転による前記第２の内歯歯車の回転角位置の設定で前記ワイパー板が前記ローラの表面に接するタイミングをそれぞれ決定することを特徴とする製本用背糊付け装置。
【発明の詳細な説明】
【０００１】
【発明の属する技術分野】
本発明は、製本用背糊付け装置、特に背糊の糊付けタイミング調整に関するものである。
【０００２】
【従来の技術】
丁合機などにより折丁をページ順に集めて作成した本身（冊子）の背面に糊付けし、糊付けした冊子の背面に適宜表紙などを貼り付けて綴じるいわゆる無線綴じを行なう製本装置は良く知られている。このような製本装置は、一般に、冊子の背面を面一に揃えるミーリング部、ミーリング後の冊子の背面に糊付けする糊付け部、糊付け後の冊子の背面に表紙を貼り付ける表紙貼り付部などの製本処理部と製本処理部を巡回移動するクランプとを備え、製本処理する冊子をこのクランプに挟持してクランプの移動に連れて製本するように構成されている。
【０００３】
このような製本装置における糊付け部には、糊を貯留する糊タンクとこの糊タンクの糊に下部が浸されて表面に糊を付着して回転するローラが設置されており、ローラの表面に付着した糊をクランプに挟持されて運ばれてくる冊子の背面に塗布する。図３はこのような糊付け部に設置される製本用背糊付け装置の構成を示すもので、図３において、１は冊子、２はクランプ、３は糊タンク、４は糊、５はローラ、６はワイパー板、７はカム従動子、８は円盤状のカム、９は動力伝達スプロケット、１１および１２はチェーンである。
【０００４】
クランプ２は、固定クランプ板２ａと可動クランプ板２ｂを有し、固定クランプ板２ａと可動クランプ板２ｂとの間に、冊子１の後端を位置決め基準軸２ｃ（可動クランプ板２ｂを駆動支持ために設けられた後端側の軸）に当接して挟み付けて保持している。ローラ５は、動力伝達スプロケット９に掛けられたチェーン１１の移動によりクランプ２の移動と同期して回転し、クランプ２の位置決め基準軸２ｃとほぼ対向する部分に適宜の幅の切欠き５ａが形成されている。この切欠き５ａにより冊子１の背面１ａの後端側の糊付け終了タイミングが決定される。
【０００５】
円盤状のカム８は固定用のボルト８ｄを挿通する長孔８ｃが同軸状に形成され、動力伝達スプロケット９に掛けられたチェーン１２の移動により回転する回転板１３に長孔８ｃの所定の位置を挿通したボルト８ｄで締め付け固定されている。ワイパー板６は糊タンク３から脱出するローラ５の表面に接近した位置に配置され、カム８の山部８ａおよび谷部８ｂに接触して山部８ａおよび谷部８ｂに応じて揺動するカム従動子７に固定されている。カム従動子７がカム８の山部８ａに接触しているときは、ワイパー板６はローラ５の表面に当接し、ローラ５の表面に付着した糊４を掻き落とし、カム従動子７がカム８の谷部８ａに接触しているときは、ワイパー板６はローラ５の表面から離れた近接位置にあり、ローラ５の表面に付着した糊４の厚みを均一化する。
【０００６】
以上のように構成された製本用背糊付け装置では、運転時はカム８およびローラ５は回転している。クランプ２がローラ５に到達する前にはカム従動子７がカム８の山部８ａに接触しており、ワイパー板６はローラ５の表面に当接し、ローラ５の表面に付着した糊４を掻き落としている。この掻き落としによりクランプ２と対向するローラ５の表面上には糊４がなく、クランプ２がローラ５の上方（糊塗布点）に位置しても糊４がクランプ２に塗布されることはない。
【０００７】
続いてクランプ２は移動し、挟持している冊子１の背面１ａの先端部がローラ５の上方に到達するときには、カム従動子７がカム８の谷部８ｂに接触しており、ワイパー板６はローラ５の表面から離れ、冊子１の背面１ａと対向するローラ５の表面上には糊４が付着し、この付着している糊４を冊子１の背面１ａに塗布する。この塗布はクランプ２の移動とローラ５の回転とにより冊子１の背面１ａがローラ４５上方を通過中続けられる。
【０００８】
やがて冊子１の背面１ａの後端部がローラ５の上方に到達すると、ローラ５の切欠き５ａが冊子１の背面１ａの後端部に対向する位置に到達し、この到達により冊子１の背面１ａの最後端およびクランプ２の後端部に糊４が塗布されることなくローラ４の上方を通過し、冊子１の糊付けは終了する。すなわちこの例ではカム８の回転方向に対して後部側に位置する山部８ａと谷部８ｂの境界８ｅは冊子１の背面１ａの糊付け開始のタイミングを決定していることとなる。なお、カム８の回転方向に対して前部側の山部８ａと谷部８ｂの境界８ｆは糊４を掻き落とし開始のタイミングとなっているが、このタイミング以前にローラ５の切欠き５ａの到来によって冊子１の糊付けは行われなくなる。
【０００９】
したがって、この境界８ｅをカム８の回転方向に進めると、冊子１の背面１ａの先端部がローラ５の上方に到達する前からローラ５の表面上には糊４が付着しており、冊子１の背面１ａにはその最先端から糊４が塗布され、また遅らせると冊子１の背面１ａの先端部がローラ５の上方に到達してもその先端部は糊が塗布されず、遅れて冊子１の背面１ａの糊付けが開始される。通常、端部の糊のはみ出しを防止するために冊子１の背面１ａの先端部と後端部を僅かづつ残して他の中央部に糊付けされる。なお、前記境界位置はワイパー板６の位置から塗布位置までの距離は見込まれていることは言うまでもない。
【００１０】
【発明が解決しようとする課題】
ところで、このような糊付けのタイミングは、冊子の背面の糊付け長さ、つまり冊子のサイズが変わる場合あるいは冊子の糊付け位置を変える場合には調整する必要がある。この調整はカム８を固定しているボルト８ｄを緩め、カム８を長孔８ｃに沿って必要量回転し、カム８の山部８ａと谷部８ｂの境界８ｅの回転角位置を適正位置に調整し、その位置で再びボルト８ｄを締め付けて固定して変更後の糊付け開始のタイミング設定する。このような調整は、糊付け位置の精度の安定性がよく広く用いられている。しかし、その調整を行なうには工具を必要とし、また運転中には調整できず、カム８自体回転するのでモータ力で調整することも困難という問題がある。
【００１１】
本発明は、このような問題に鑑みなされたもので、回転するカムにより糊付けのタイミングを設定してなる製本用背糊付け装置において、そのタイミング設定に工具を要さず、かつ装置の運転中においても容易に行なうことを可能にした製本用背糊付け装置を提供することを目的とする。
【００１２】
【課題を解決するための手段】
請求項１に係る発明は、表面に糊を付着し、冊子を挟持したクランプの移動と同期して回転するローラと、前記ローラの表面に接離するワイパー板を具え、前記ワイパー板の前記ローラの表面への接離のタイミングにより前記冊子の背面の所定の位置に糊付けしてなる製本用背糊付け装置において、前記クランプの移動と連動して回転する駆動軸に固定された太陽歯車と、前記太陽歯車と噛合する複数の遊星歯車と、前記複数の遊星歯車の中心軸に取付けた円盤状のカムと、前記遊星歯車と噛合する内歯歯車と、前記内歯歯車の外周に形成した歯車と噛合し電動機の回転で回転する歯車と、前記円盤状のカムに当接して作動する前記ワイパー板に固定したカム従動子とを有し、前記電動機の回転による前記内歯歯車の回転角位置の設定で前記ワイパー板が前記ローラの表面から離れるタイミングを決定することを特徴とする。
【００１３】
請求項２に係る発明は、表面に糊を付着し、冊子を挟持したクランプの移動と同期して回転するローラと、前記ローラの表面に接離するワイパー板を具え、前記ワイパー板の前記ローラの表面への接離のタイミングにより前記冊子の背面の所定の位置に糊付けしてなる製本用背糊付け装置において、前記クランプの移動と連動して回転する駆動軸に固定された第１および第２の２個の太陽歯車と、前記第１の太陽歯車と噛合する第１の複数の遊星歯車と、前記第１の複数の遊星歯車の中心軸に取付けた第１の円盤状のカムと、前記第１の遊星歯車と噛合する第１の内歯歯車と、前記第１の内歯歯車の外周に形成した歯車と噛合し第１の電動機の回転で回転する第１の歯車と、前記第２の太陽歯車と噛合する第２の複数の遊星歯車と、前記第２の複数の遊星歯車の中心軸に取付けた第２の円盤状のカムと、前記第２の遊星歯車と噛合する第２の内歯歯車と、前記第２の内歯歯車の外周に形成した歯車と噛合し第２の電動機の回転で回転する第２の歯車と、前記第１および第２の円盤状のカムまたがって当接して作動する前記ワイパー板に固定したカム従動子を有し、前記第１の電動機の回転による前記第１の内歯歯車の回転角位置の設定で前記ワイパー板が前記ローラの表面からから離れるタイミングを、前記第２の電動機の回転による前記第２の内歯歯車の回転角位置の設定で前記ワイパー板が前記ローラの表面に接するタイミングをそれぞれ決定することを特徴とする。
【００１５】
本発明では、中央にある太陽歯車と外周にある内歯歯車とその間にある複数の遊星歯車とを備え、複数の遊星歯車の中心軸に円盤状のカムを取り付け、内歯歯車を回転してその回転角位置を変更する回転角位置設定手段とを設けている。そして、１サイクルの糊付け（クランプが糊付け部に侵入し脱出するまで）に対してカムが１回転するようにそれぞれの歯数を決めておくと、回転角位置設定手段の設定に応じたタイミングにより糊付けが開始される。そのタイミングを変更するときには、回転角位置設定手段により内歯歯車を所定量回転させる。この回転によりカムは回転方向に所定量進みまたは遅れ、これによりタイミングを変更することができる。またその変更はカムの回転中、すなわち装置の運転中においても容易にできる。
【００１６】
このようなカムを有する遊星歯車装置を同軸上に例えば２組重ねて配置し、２組のカムにまたがって当接して作動するカム従動子を備えて構成する（請求項２）と、一方のカムにより糊付け開始タイミングを、他方のカムにより糊付け終了タイミングを任意に設定することができ、糊を塗布するローラの切欠きを不要とし、該ローラの直径に左右されない糊付けが可能となる。また、請求項１および請求項２のいずれの発明においても回転角位置設定手段に電動機を使用することが簡単にでき、糊付けタイミングの設定の変更時にそのための工具を要さず、迅速かつ容易に糊付けタイミングの設定の変更ができる。
【００１７】
【発明の実施の形態】
以下、本発明の実施の形態について、図１および図２を参照して説明する。図１は本発明の一実施の形態に係る製本用背糊付け装置の構成を示す平面図、図２は本発明の他の実施の形態に係る製本用背糊付け装置のカム部の構成を示す断面図である。なお、図３に示す従来の製本用背糊付け装置と同一の部分および対応する部分には同一の符号を付している。
【００１８】
図１において、１は冊子、２はクランプ、３は糊タンク、４は糊、５はローラ、６はワイパー板、７はカム従動子、８は円盤状のカム、９は動力伝達スプロケット、１１および１２はチェーン、１４は太陽歯車、１５は遊星歯車、１６は内歯歯車、１７は電動機、１８は歯車である。クランプ２、糊タンク３、ローラ５、ワイパー板６、カム従動子７、回転機構を除く円盤状のカム８、動力伝達スプロケット９、チェーン１１、１２からなる構成は図３に示す従来と同様であるので、ここではその詳細な説明は省略する。
【００１９】
円盤状のカム８は、チェーン１２の移動により回転する中央に位置する太陽歯車１４と、その外周にある内歯歯車１６との間に、太陽歯車１４と内歯歯車１６と噛合する３個の遊星歯車１５の中心軸に取り付けられている。この取り付けによって遊星歯車１５は円盤状のカム８によって支持されている。内歯歯車１６はその外周に外歯１６ｃが形成されており、その外歯１６ｃと電動機１８の回転により回転する歯車１８と噛合している。そして、この実施の形態では、クランプ２が糊付け部に侵入し脱出する１サイクルの糊付けに対してカム８が１回転するように太陽歯車１４、遊星歯車１５、内歯歯車１６の内歯それぞれの歯数を設定している。
【００２０】
このように構成された製本用背糊付け装置は、電動機１７を駆動すると歯車１８が回転し、その回転は内歯歯車１６、遊星歯車１５の回転を介してカム８を回転し、カム８の山部８ａと谷部８ｂの境界８ｅの回転角位置を糊付けする冊子１の背面１ａの糊付け開始点に応じた位置に設定する。すなわち電動機１７、歯車１８、内歯歯車１６の外歯１６ｃは回転角位置設定手段として機能する。
【００２１】
運転時、予めこの回転角位置設定手段で設定した状態でカム８およびローラ５は回転している。そして冊子１を挟持したクランプ２はローラ５の上方を移動して行く。冊子１の背面１ａの糊付け開始位置がローラ５の上方（糊塗布点）に位置すると、その位置でローラ５の表面に付着している糊４と合わされ、その位置から冊子１の背面１ａに糊が塗布される。この塗布はクランプ２の移動とローラ５の回転とにより冊子１の背面１ａがローラ４５上方を通過中続けられる。
【００２２】
やがて冊子１の背面１ａの後端部がローラ５の上方に到達すると、ローラ５の切欠き５ａが冊子１の背面１ａの後端部に対向する位置に到達し、この到達により冊子１の背面１ａの最後端およびクランプ２の後端部に糊４が塗布されることなくローラ４の上方を通過し、冊子１の糊付けは終了する。なお、ワイパー板６の動作は前記従来と同様であるので、その詳細な説明は省略する。
【００２３】
ここで、冊子１のサイズの変更などで糊付け開始位置を変更する場合には、電動機１７を駆動して歯車１８を所定量回転し、カム８を変更分回転して、カム８の山部８ａと谷部８ｂの境界８ｅの回転角位置を糊付けする変更した冊子１の背面１ａの糊付け開始点に応じた位置に再設定する。この設定は運転継続中に行なってもよく、運転を停止して行なってもよい。
【００２４】
以上の実施の形態では、冊子１の糊付け終了点が、ローラ５の切欠き５ａによって決定される（これは冊子１の後端が常にクランプの基準位置にあることに基づいている。）。そのために冊子１の糊付け長さの最大長さからローラ５の切欠き５ａを除く円周長さに相当するローラ５の直径が必要となり、糊付け長さの最大長さが長くなるに連れローラ５が大型化する。これを避けるためには糊付け開始タイミングと糊付け終了タイミングの両タイミングをそれぞれ任意に設定可能にすればよい。
【００２５】
図２は両タイミングをそれぞれ任意に設定可能にする他の実施の形態に係る製本用背糊付け装置のカム部の構成を示すものである。この実施の形態は、図１に示すカム部の構成を同軸上に２組重ねて配置し、２組のカムにまたがって当接して作動するカム従動子７を備えて構成している。そしてローラ５の切欠き５ａを無くし、またローラ５は冊子１を挟持したクランプ２の移動と同期するが、回転数は適宜に設定する。つまり糊付けの１サイクルに１以上の回転数、場合によっては１以下の回転数であってもよい。なお、冊子１、クランプ２、糊タンク３、糊４、ローラ５、ワイパー板６、カム従動子７などの全体構成は図１と同様である。
【００２６】
図２において、１９は図１に示すチェーン１２の移動により回転する太陽歯車を回転駆動する駆動軸である。この駆動軸１９に２つの太陽歯車１４ａ、１４ｂが並べて固定されている。各太陽歯車１４ａ、１４ｂにそれぞれ独立して噛合する複数の遊星歯車１５ａ、１５ｂが設けられ、これらの遊星歯車１５ａ、１５ｂとそれぞれに独立して噛合する内歯歯車１６ａ、１６ｂが設けられている。各内歯歯車１６ａ、１６ｂの外周にはそれぞれ外歯１６ａｃ、１６ｂｃが形成され、外歯１６ａｃ、１６ｂｃのそれぞれに独立して、電動機１７ａ、１７ｂの回転軸に固定された歯車１８ａ、１８ｂが噛合している。
【００２７】
そして、円盤状のカム８ａは複数の遊星歯車１５ａの中心軸に取り付けられており、円盤状のカム８ｂは複数の遊星歯車１５ｂの中心軸に取り付けられている。太陽歯車１４ａ、遊星歯車１５ａ、内歯歯車１６ａおよび円盤状のカム８ａからなる第１の遊星歯車装置と電動機１７ａと歯車１８ａとからなる第１の回転角位置設定手段は、図１に示すものと同一構成であり、太陽歯車１４ｂ、遊星歯車１５ｂ、内歯歯車１６ｂおよび円盤状のカム８ｂからなる第２の遊星歯車装置と電動機１７ｂと歯車１８ｂとからなる第２の回転角位置設定手段は、図１に示すものと同一構成であり、円盤状のカム８ａと円盤状のカム８ｂは互いに向き合って隣に配置されている。
【００２８】
第１および第２の遊星歯車装置の各円盤状のカム８ａ、８ｂの山部と谷部の境界の回転角位置を第１および第２の回転角位置設定手段の操作によってそれぞれに独立して設定することができる。したがって、例えば円盤状のカム８ａと円盤状のカム８ｂを同一形状のカムとし、互いの山部の回転角位置を異ならせると一方の円盤状のカム８ａの回転方向前方側に位置する山部と谷部の境界と、他方のの円盤状のカム８ｂの回転方向後方側に位置する山部と谷部の境界間距離を可変することができ、冊子の背面の糊付け開始タイミングおよび糊付け終了タイミングの両者を任意に設定することができる。なお、円盤状のカム８ａと８ｂはこれらのカムにまたがって当接して作動するカム従動子７によって一体物として機能するので糊付け時の動作は、カムによって糊付け終了することを除き図１のものと同様であるので、その詳細な説明は省略する。
【００２９】
なお、各実施の形態において内歯歯車を電動機によって回転操作するようにしているが、例えばハンドルなどによって手動で回転操作するようにしてもよい。また、内歯歯車の外周に形成する外歯は内歯歯車の外周の全範囲でなくてもよい。
【００３０】
【発明の効果】
以上詳述したように、本発明によれば、中央にある太陽歯車と外周にある内歯歯車とその間にある複数の遊星歯車とを備え、複数の遊星歯車の中心軸に円盤状のカムを取り付け、内歯歯車を回転してその回転角位置を変更する回転角位置設定手段とを設けているので、冊子の糊付けのタイミングを随時容易に行なうことができ、取り扱いの便利な製本用背糊付け装置が得られる。
【００３１】
また、カムを有する遊星歯車装置を同軸上に例えば２組重ねて配置し、２組のカムにまたがって当接して作動するカム従動子を備えて構成すると、糊付け開始タイミングと糊付け終了タイミングを任意に設定することができ、糊を塗布するローラの小型化が図れ、糊付け部のスペースを省力化することができる。
【図面の簡単な説明】
【図１】本発明の実施の形態に係る製本用背糊付け装置の構成を示す平面図である。
【図２】本発明の他の実施の形態に係る製本用背糊付け装置のカム部の構成を示す断面図である。
【図３】従来の製本用背糊付け装置の構成を示す平面図である。
【符号の説明】
１    冊子
１ａ  冊子の背面
２    クランプ
２ｃ  基準位置
３    糊タンク
４    糊
５    ローラ
５ａ  切欠き
６    ワイパー板
７    カム従動子
８    円盤状のカム
８ａ  山部
８ｂ  谷部
８ｅ、８ｆｂ  境界（糊付けタイミング位置）
９    動力伝達スプロケット
１１、１２  チェーン
１４、１４ａ、１４ｂ  太陽歯車
１５、１５ａ、１５ｂ  遊星歯車
１６、１６ａ、１６ｂ  内歯歯車
１６ｃ、１６ａｃ、１６ｂｃ  外歯
１７、１７ａ、１７ｂ電動機
１８、１８ａ、１８ｂ  歯車
１９  駆動軸
【図１】
0004311823.tif 000002
【図２】
0004311823.tif 000003
【図３】
0004311823.tif 000004